(57)【特許請求の範囲】
【請求項１】
固定子のバックヨーク上に、このバックヨークの面と垂直に設けられた壁が輪状に配置され、
前記固定子をモールド樹脂でモールド成形して形成されるモールドモータにおいて、
径の異なる複数個のリング部が多重連結された構造のインサート座を、前記壁の内周面に隣接し、
前記インサート座の任意の箇所に、前記複数個のリング部を固定し、前記壁に設けられた突部を挿入する孔からなる取り付け部を設けたことを特徴とするモールドモータ。
【請求項２】
前記複数のリング部は階段状に配置されていることを特徴とする請求項１記載のモールドモータ。
【請求項３】
前記インサート座の任意の箇所に、ブラケットを固定するためのネジを螺合する固定座を設けたことを特徴とする請求項１および請求項２記載のモールドモータ。
【発明の詳細な説明】
【０００１】
【発明の属する技術分野】
固定子をモールド樹脂でモールド成形して形成されるモールドモータに関する。
【０００２】
【従来の技術】
従来におけるモールドモータの実施例について、ストレートコアを用いたブラシレスＤＣモータを例に、図５〜図８を用いて説明する。図５は、従来における固定子コアの拡大部分正面図である。図６は、図５の固定子コアに巻線を施し、折り曲げ成形した固定子の正面図である。図７は、図５の固定子をモールド成形する際の側断面図である。図８は、従来におけるモールドモータの側断面図である。
【０００３】
図５において、固定子コア２１は、円弧状に形成されたバックヨーク２２とストレート状に形成されたティース２３がＴ字状に構成された複数個のコアピース２４が、バックヨーク２２の側端部で接続され、これらコアピース２４がストレート状に連なって形成されている。
【０００４】
それぞれのコアピース２４の表面上には、ティース２３に巻回される巻線２５との絶縁のために絶縁体２６が独立して形成されている。また、ティース２３の先端部とバックヨーク２２のティース２３側の端部には、巻線２５のコイルエンドがはみ出さないように、コアピース２４と垂直に保護壁２７ａ、２７ｂが絶縁体２６と一体成形して形成されている。また、バックヨーク２２の外側の端部には、各巻線２５の亘り線を通すための通り溝が設けられた外壁２８が絶縁体２６と一体成形して形成されている。なお、本実施例では、バックヨーク２２上に設けられている保護壁２７ａと外壁２８は分かれて形成されているが、この保護壁２７ａと外壁２８を一体して形成してもよい。
【０００５】
図６において、固定子２９は、固定子コア２１と、この固定子コア２１のティース２３に巻回された巻線２５と、固定子コア２１の一方の端面に隣接して取り付けられた回路基板（図示しない）とで構成されている。なお、固定子２９は、固定子コア２１に巻線２５を巻回した後、折り曲げられて、輪状にして形成されている。
【０００６】
図７において、モールド型３０内に固定子２９を配置し、モールド型３０のゲート口３０ａよりモールド樹脂３１を流入して、椀状にモールドフレーム３２を形成する。
【０００７】
図８において、モールドモータ３３は、モールド樹脂３０によって形成されたモールドフレーム３２と、このモールドフレーム３２の内部に収納された回転子３３と、この回転子３４のシャフト３５に取り付けられ、回転子３４を回転可能にする軸受３６ａ、３６ｂと、この軸受３６ａ、３６ｂを収納し、モールドフレーム３２に取り付けられたブラケット３７とで構成されている。
【０００８】
【発明が解決しようとする課題】
従来の固定子をモールド成形する際において、特に、従来例で説明した固定子コアがストレート状であって、この固定子コアを折り曲げて固定子を形成するモータの場合、折り曲げる関係上、それぞれのコアピースに絶縁体が独立して形成されることになる。また、固定子の外周面上まで、絶縁体が形成されていないため、各絶縁体と固定子コアとの固着力は弱い。したがって、外壁あるいは保護壁に、図７の矢印が示すようなモールド材の圧力あるいはモールド材の熱が加わると、保護壁は、簡単に傾き、あるいは倒れが発生した。
【０００９】
【課題を解決するための手段】
そこで、本発明によれば、固定子のバックヨーク上に、このバックヨークの面と垂直に設けられた壁が輪状に配置され、前記固定子をモールド樹脂でモールド成形して形成されるモールドモータにおいて、径の異なる複数個のリング部が多重連結された構造のインサート座を、前記壁の内周面に隣接し、前記インサート座の任意の箇所に、前記複数個のリング部を固定し、前記壁に設けられた突部を挿入する孔からなる取り付け部を設けたことを特徴とするモールドモータを提供する。
【００１０】
あるいは、前記複数のリング部は階段状に配置されていることを特徴とするモールドモータを提供する。
【００１１】
あるいは。インサート座の任意の箇所に、ブラケットを固定するためのネジを螺合する固定座を設けたことを特徴とするモールドモータを提供する。
【００１２】
【作用】
バックヨーク上に配設された保護壁の内周面に隣接してインサート座の輪部を設けることにより、モールド時における保護壁の傾き、倒れを防止することができる。
【００１３】
さらに、リング部の数を増やし、これらリング部を階段状に形成することにより、輪の歪曲率を低くすることができ、保護壁の傾き、倒れをより確実に防止することができる。
【００１４】
また、インサート座に固定座を形成することにより、固定座の傾きがなくスムーズに止めネジを固定座に挿入することができる。
【００１５】
【発明の実施の形態】
本発明におけるモールドモータの実施例について図１〜図４を用いて説明する。図１は、本発明におけるインサート座の正面図である。図２は、図１のインサート座の断面Ａ−Ａから見た断面図である。図３は、図１のインサート座が取り付けられた固定子の正面図である。図４は、本発明におけるモールドモータの側断面図である。
【００１６】
図１および図２において、インサート座１は、ポリアミド樹脂等の絶縁材で形成されており、径の異なる輪状に形成された２個のリング部２ａ、２ｂと、この２個のリング部２ａ、２ｂを跨ぐように形成され、このリング部２ａ、２ｂを固定している固定部とで構成されている。この固定部は、例えば、１２０゜等配に設けられた３個の筒状の固定座４、あるいは後述する固定子に設けられた突部に取り付けるための孔５ａを備えた複数個の取り付け部５等で構成されている。
【００１７】
それぞれの固定座４には、２個のネジ穴４ａ、４ｂが設けられている。この２個のネジ穴４ａ、４ｂは、後述する止めネジをどちらか一方のネジ穴４ａに螺合してブラケットを固定する。そして、モータの分解などによって、止めネジの取り外しを繰り返し、ネジ穴４ａがネジ穴として機能しなくなった場合は、ブラケットの止め孔をシフトさせて、もう一方のネジ穴４ｂに止めネジを螺合し、ブラケットを固定する。
【００１８】
また、２個のリング部２ａ、２ｂは、図２の示すように、径を相違させると共に、階段状に配置させている。
【００１９】
このように、２個、あるいは複数個のリング部を多重連結構造に形成し、かつリング部を階段状に配置することにより、モールド成形時における輪状のリング部の歪曲をさらに小さいものにすることができる。よって、保護壁あるいは外壁の傾きや倒れをより確実に防止することができる。
【００２０】
図３において、固定子６は、従来の固定子と同様に、固定子コア７と、この固定子コア７のティース８に巻回された巻線９と、固定子コア７の一方の端面に隣接して取り付けられた回路基板と、固定子コア７のもう一方の端面に取り付けられたインサート座１とで構成されている。また、固定子６は、固定子コア７に巻線９を巻回した後、折り曲げられて、輪状に形成されている。また、インサート座１は、固定子６の外壁１０上に設けられた突部１０ａにインサート座１の取り付け部５の孔５ａを挿入して固定されている。そして、２個のリング部２ａ、２ｂの内、外側に位置する輪部２ａの外周面と、固定子６のバックヨーク１１上に設けられた保護壁１２の内周面とが、接面、あるいは隣接するように、インサート座１を構成する。
【００２１】
図４において、モールドモータ１３は、従来のモールドモータと同様に、固定子６をモールド樹脂１４によって椀状に形成されたモールドフレーム１５と、このモールドフレーム１５の内部に収納された回転子１６と、この回転子１６のシャフト１７に取り付けられ、回転子１６を回転可能にする軸受１８ａ、１８ｂと、この軸受１８ａ、１８ｂを収納し、モールドフレーム１５に取り付けられたブラケット１９とで構成されている。
【００２２】
また、インサート座１に設けられている固定座４のネジ穴４ａ、４ｂの開口部が、モールドフレーム１５の面上に現れるように固定座４を構成する。また、ブラケット１９には、インサート座１の固定座４のネジ穴４ａ、４ｂと同一ピッチで形成された止め孔１９ａが設けられている。そして、固定座４のどちらか一方のネジ穴４ａとブラケット１９の止め孔１９ａとが同一軸上になるようにして、ブラケット１９をモールドフレーム１５に配設し、止めネジ２０を固定座４のネジ穴４ａに螺合してブラケットを固定する。
【００２３】
【発明の効果】
本発明によれば、モールド成形の際のモールド圧、あるいはモールド熱による保護壁の傾き、倒れを防止し、品質の良いモールドモータを提供することができる。
【００２４】
【図面の簡単な説明】
【図１】本発明におけるインサート座の正面図。
【図２】図１のインサート座の断面Ａ−Ａから見た断面図。
【図３】図１のインサート座が取り付けられた固定子の正面図。
【図４】本発明におけるモールドモータの側断面図。
【図５】従来における固定子コアの拡大部分正面図。
【図６】図３の固定子コアに巻線を施し、折り曲げ成形した固定子の正面図。
【図７】図４の固定子をモールド成形する際の側断面図。
【図８】従来におけるモールドモータの側断面図。
【符号の説明】
１…インサート座
２ａ、２ｂ…リング部
４…固定座
５…取り付け部
６、２９…固定子
７、２１…固定子コア
８、２３…ティース
９、２５…巻線
１０、２８…外壁
１１、２２…バックヨーク
１２、２７ａ、２７ｂ…保護壁
１３、３３…モールドモータ
１４、３１…モールド樹脂
１５、３２…モールドフレーム
１６、３４…回転子
１７、３５…シャフト
１８ａ、１８ｂ、３６ａ、３６ｂ…軸受
１９、３７…ブラケット
２０…止めネジ
２４…コアピース
２６…絶縁体
３０…モールド型
【図１】
0004458608.tif 000002
【図２】
0004458608.tif 000003
【図３】
0004458608.tif 000004
【図４】
0004458608.tif 000005
【図５】
0004458608.tif 000006
【図６】
0004458608.tif 000007
【図７】
0004458608.tif 000008
【図８】
0004458608.tif 000009